(57)【特許請求の範囲】
【請求項１】
かみそりカートリッジ（１４）であって、
近位端部（２４）及び遠位端部（２６）を有するハウジング（２０）と、
前記ハウジング（２０）内に装着された１つ以上の刃（２２）と、
前記ハウジング（２０）の前記近位端部（２４）に接合された細長い弾性皮膚接触要素（６０）と、
前記１つ以上の刃（２２）と前記細長い弾性皮膚接触要素（６０）との間に配置された皮膚接触バー（４０）と、を備え、
前記細長い弾性皮膚接触要素（６０）は、
前記１つ以上の刃（２２）に対して概ね横向きである１つ以上の可撓性の皮膚係合突出部（１１２）であって、剃毛中に前記１つ以上の刃（２２）を毛が障害なく通過することを促進する複数の開いたチャネル（１１４）を画定する１つ以上の可撓性の皮膚係合突出部（１１２）のパターンを有する皮膚接触部材（１１０）の整列配列と、
前記皮膚接触部材（１１０）の整列配列の前記パターンと異なるパターンを有する少なくとも１つの追加の皮膚接触部材（８０、９０、１００）と、を備え、
前記追加の皮膚接触部材（８０、９０、１００）の配列が、前記刃（２２）に対して平行な１つ以上の可撓性の皮膚係合突出部（８２、９２、１０２）を含み、
前記追加の皮膚接触部材（１００）の配列が、前記皮膚接触部材（１１０）の整列配列に直接隣接している、かみそりカートリッジ。
【請求項２】
前記細長い弾性皮膚接触要素（６０）の前記皮膚接触部材（１１０）側に、第２の細長い間隙（１０８）が形成されている、請求項１に記載のかみそりカートリッジ（１４）。
【請求項３】
前記第２の細長い間隙（１０８）が０．１ｍｍ〜０．５ｍｍの幅を有する、請求項２に記載のかみそりカートリッジ（１４）。
【請求項４】
前記細長い弾性皮膚接触要素（６０）が、近位端部（７２）及び遠位端部（７０）を有し、
前記皮膚接触部材の整列配列（１１０）が、前記細長い弾性皮膚接触要素（６０）の遠位端部（７０）に配置される、請求項１〜３のいずれか一項に記載のかみそりカートリッジ（１４）。
【請求項５】
前記皮膚接触部材（１１０）の整列配列の横方向に配置された皮膚接触部材の少なくとも１つの側方配列（８０、９０）を更に備える、請求項１〜４のいずれか一項に記載のかみそりカートリッジ（１４）。
【請求項６】
前記皮膚接触部材（８０、９０）の前記少なくとも１つの側方配列が前記細長い弾性皮膚接触要素（６０）の前記近位端部（７２）に位置づけられる、請求項５に記載のかみそりカートリッジ（１４）。
【請求項７】
前記皮膚接触部材（８０、９０）の前記側方配列の少なくとも１つが、１つ以上の刃（２２）に平行な可撓性の皮膚係合突出部（８２、９２）の１つ以上の列を含む、請求項６に記載のかみそりカートリッジ（１４）。
【請求項８】
前記皮膚接触バー（４０）が、前記皮膚接触部材（１１０）の整列配列の前記複数の可撓性の皮膚係合突出部（１１２）と整列された複数の剛性の突出部（４２）を有する、請求項１〜７のいずれか一項に記載のかみそりカートリッジ（１４）。
【発明の詳細な説明】
【技術分野】
【０００１】
本発明は剃毛かみそりに関し、より具体的には、効率的かつ効果的な剃毛のために局所区域の皮膚の伸張を促進するため及び／又は刃に対する毛の向きを定め通過を促進するための細長い弾性皮膚接触要素を備えたハウジングを有する剃毛かみそりカートリッジに関する。
【背景技術】
【０００２】
概して、安全かみそりのカートリッジ又は刃ユニットは、カートリッジが取付けられたハンドルを用いて、剃毛される皮膚の表面にわたって移動される切断用刃先を有する少なくとも１つの刃を有する。カートリッジは、刃が充分に鋭利でなくなったときにカートリッジを新しいものに交換することができるようにハンドルに着脱可能に装着されていてもよく、又は、刃が鈍くなったとき、かみそり全体を廃棄するように、ハンドルに恒久的に取り付けられていてもよい。かみそりのカートリッジは、通常、刃の正面にある皮膚と接触するガードと、剃毛中に刃の背後にある皮膚と接触するキャップとを含む。キャップ及びガードは、剃毛中の皮膚に対する刃の向き及び位置を決定するパラメータであるいわゆる「剃毛ジオメトリ」を確立しやすくし、このパラメータは、かみそりの剃毛性能及び有効性に強く影響することができる。ガードは概して剛性であってもよく、例えば、刃のための支持を提供するフレーム又はプラットフォーム構造とともに一体化形成される。
【０００３】
ガードは多くの剃毛かみそりに存在し、皮膚を伸張することを目的とするが、これらのガードはまた、毛を平らに寝かせる傾向も有する。これらのガードと毛との相互作用は、芝刈り機の刃で芝を刈る直前に、重たいドラムを芝の上に転がすようなものである。皮膚の毛と同様に芝は、刃に対して概ね垂直の向きになっていないと効果的かつ効率的に切断することはできない。毛の成長は人によって、及び剃毛される体の部分によって大きく異なる。典型的には、短毛は、およそ２４時間の成長として特徴付けられる。短い毛は概して堅く、刃に対して概して垂直に配向されるので、標準的なかみそりガードは比較的効果的に短毛を切断することができる。長く伸びるにつれて毛は屈曲し、刃に対してより平行な向きで皮膚の表面に平らに寝る傾向を有する。刃が皮膚の表面に対してより平行な角度で毛を剥ぐ又は切る傾向を有するようになるので、より長い毛の向きのために、標準的なかみそりガードの効果は低下する。一部の毛は平らに寝てしまい、かみそりの刃はそれらの毛を刈り取らずに上を通り過ぎる。ユーザーはしばしば、切断されていない又は皮膚表面近くまで十分に切断されなかった毛を切断するために、同じ領域を繰り返し剃毛しなければならず、その結果皮膚のかぶれが増加する。
【発明の概要】
【発明が解決しようとする課題】
【０００４】
本発明の実施形態は、次の利点の１つ以上を達成することができる。皮膚全体の伸張を犠牲にすることなく、適正な毛の向き及び皮膚の局所区域の伸張を達成することができる。加えて、本発明の様々な実施形態は切り傷を減らし、近接さを高め、剃毛中の触感を改善し、全体的な快適さを高めるであろう。本発明の他の利点及び特徴は、以下の「発明を実施するための形態」及び「特許請求の範囲」から明らかになるであろう。
【課題を解決するための手段】
【０００５】
一態様では、本発明は、概して、近位端部と、遠位端部と、ハウジング内に装着された１つ以上の刃とを有するハウジングを備えたかみそりカートリッジを特徴とする。細長い弾性皮膚接触要素は、ハウジングの近位端部に接合される。細長い弾性皮膚接触要素は、１つ以上の刃に対して概ね横向きである１つ以上の可撓性の皮膚係合突出部であって、剃毛中に１つ以上の刃を毛が概ね障害なく通過することを促進する複数の開いたチャネルを画定する１つ以上の可撓性の皮膚係合突出部のパターンを有する皮膚接触部材の整列配列を有する。細長い弾性皮膚接触要素はまた、この皮膚接触部材の整列配列のパターンと異なるパターンを有する少なくとも１つの追加の皮膚接触部材の配列を有する。
【０００６】
別の態様では、本発明は、概して、ハウジングを伴うかみそりカートリッジと、このハウジング内に装着された１つ以上の刃とを特徴とする。細長い弾性皮膚接触要素は、このハウジングに接合される。細長い弾性皮膚接触要素は、近位端部及び遠位端部を有する。一対の皮膚接触部材の側方配列は、近位端部と遠位端部との間に配置される。皮膚接触部材の整列配列は、皮膚接触部材の一対の側方配列の間の細長い弾性皮膚接触要素の遠位端部に配置される。皮膚接触部材の整列配列は、剃毛中に１つ以上の刃を毛が概ね障害なく通過することを促進する１つ以上の刃に対して概ね横向きであり、かつ複数の開いたチャネルを画定する複数の可撓性の皮膚係合突出部を有する。
【０００７】
別の態様では、本発明は、概して、より緊密かつより快適な剃毛をもたらすように毛を切断する方法を特徴とする。毛を切断するこの方法は、少なくとも１つの刃及び細長い弾性皮膚接触要素をかみそりカートリッジに準備する工程を有する。刃の前方の皮膚の第１の区域は、細長い弾性皮膚接触要素で伸張される。第１の区域の後の複数の毛は、細長い弾性皮膚接触要素によって整列され、それによって、それらの毛は少なくとも１つの刃に対して概ね垂直に整列される。整列された毛の側方の皮膚の別の区域は、細長い弾性皮膚接触要素によって伸張される。概ね整列された毛は１つ以上の刃によって切断される。
【０００８】
１つ以上の刃に対する毛の向きを改善するために、特定の実施形態は所望により１つ以上の細長いスロットを任意に含むことができる。特定の実施形態はまた、改善された毛の向きをもたらすために複数の概ね剛性の突出部を有するハウジングに配置された皮膚接触バーも所望により含むことができる。
【図面の簡単な説明】
【０００９】
【図１】本発明の剃毛かみそりの可能な一実施形態の上面図。
【図２】図１に示したカートリッジの詳細な上面図。
【図３】図２のカートリッジの細長い弾性皮膚接触要素の上面。
【図４Ａ】図２のカートリッジの拡大部分上面図。
【図４Ｂ】図２の線４−４に概ね沿って取られたカートリッジの部分断面図。
【図５Ａ】図３の細長い弾性皮膚接触要素の斜視図。
【図５Ｂ】図３の細長い弾性皮膚接触要素の底面図。
【図５Ｃ】図３の細長い弾性皮膚接触要素の右側面図。
【図５Ｄ】図３の細長い弾性皮膚接触要素の左側面図。
【図５Ｅ】図３の細長い弾性皮膚接触要素の正面図。
【図５Ｆ】図３の細長い弾性皮膚接触要素の背面図。
【発明を実施するための形態】
【００１０】
図１を参照すると、本発明の１つの可能な実施形態が示されており、ハンドル１２とカートリッジ１４とを有する剃毛かみそり１０が例示されている。特定の実施形態では、カートリッジ１４をハンドル１２から分離すること及び取り外すことができる。カートリッジ１４は、ハンドル１２に固定式又は旋回式に装着することができる。カートリッジ１４は、カートリッジ１４が旋回軸を中心に旋回するように装着される相互接続部材１６もまた含むことができる。相互接続部材１６は、ハンドル１２に接続されるベース１８を含むことができる。カートリッジ１４は、もう１つの刃２２と、キャップ３２と、細長い弾性皮膚接触要素６０とを担持するハウジング２０を含むことができる。１つ以上の刃２２をハウジング２０内に装着し、一対のクリップ３４ａ及び３４ｂで固定することができる。ワイヤラッピング、冷間成形、熱かしめ、インサート成形、及び粘着剤などを含む（ただしこれらに限定されない）当業者に既知のその他の組立方法を用いて、刃２２をハウジング２０に固定することもできる。ハウジング２０は、細長い弾性皮膚接触要素６０に隣接して配置された皮膚接触バー４０を含むことができる。図１に図示したように、皮膚接触バー４０は概ね矩形の断面を有するが、円形、正方形、三角形、又は楕円形など、任意の数量の断面形が可能である。下記に詳述するように、細長い弾性皮膚接触要素６０は、局所的伸張及び／又は毛の配向を促進する皮膚接触部材のいくつかの別個の配列を有することができる。細長い弾性皮膚接触要素６０は、皮膚接触バー４０と組み合わせて又はそれから独立して使用することができる。
【００１１】
図２を参照すると、カートリッジ１４の平面図が示されている。ハウジング２０は、近位端部２４と、遠位端部２６と、第１の側方端部２８と、第２の側方端部３０とを有することができる。キャップ３２は、ハウジング２０の遠位端部２６に配置されてもよく、ハウジング２０に固定された潤滑ストリップを含むことができる。皮膚接触バー４０は、第１の刃２２ａ及び細長い弾性皮膚接触要素６０に直接隣接してハウジング２０の近位端部２４に配置され得る。刃２２ａ〜２２ｅのそれぞれは、皮膚接触バー４０を通過してくる毛を切断する、各々の刃先を有することができる。第１の刃２２ａの刃先は、皮膚接触バー４０から約０．４０ｍｍ、０．５０ｍｍ、又は０．６０ｍｍ〜約０．７５ｍｍ、１．２５ｍｍ、又は１．５ｍｍの距離だけ離間することができる。皮膚接触バー４０の設計は、皮膚接触バー４０と第１の刃２２ａの刃先との間の距離をより大きくすることもより小さくすることも可能にするものであってもよい。特定の実施形態では、皮膚接触バー４０と第１の刃２２ａの刃先との間の間隔は約０．０５ｍｍ未満であってもよく、安全性を高めるために皮膚接触バー４０を第１の刃２２ａの刃先に触れさせることも可能である。
【００１２】
皮膚接触バー４０は、ハウジング２０の第１の側方端部２８から第２の側方端部３０まで延在することができる。複数の概して剛性の突出部４２は、第１の刃２２ａに概して垂直に皮膚接触バー４０に沿って延在することができる。概して剛性の突出部４２は、皮膚接触バー４０に一体化されていてもよく、分離して固定されていてもよい。概して剛性の突出部４２は離間して、開いたチャネル４４を画定することができる。概して剛性の突出部４２は、皮膚接触バー４０のほぼ全長に沿って配置され得る。あるいは、概して剛性の突出部４２は、皮膚接触バーの、例えば中間部分又は側方端部２８及び３０のような特定のセクションのみに沿って延在してもよい。皮膚接触バー４０の長さにかけての比較的多数の概して剛性の突出部４２は、特に皮膚接触バー４０が概して剛性の材料で作製されている場合、皮膚接触バー４０によって皮膚に付加された力をよりよく分配することができる。特定の実施形態では、皮膚接触バー４０は、皮膚接触バー４０のピッチ及び長さに依存して、約２０、３０、又は４０〜約６０、７０、又は８０の概して剛性の突出部４２を有することができる。また、概して剛性の突出部の数量が多いほど、隣接する概して剛性の突出部４２の間をより多くの毛が通ることが可能になり、第１の刃２２ａに到達する前に適正に配向される毛の数量が増すことになる。概して剛性がある突出部４２は、約０．２０ｍｍ、０．４０ｍｍ、又は０．６０ｍｍ〜約０．８ｍｍ、１．０ｍｍ、又は１．２ｍｍのピッチを有することができる。
【００１３】
皮膚接触バー４０はハウジング２０と一体化されてもよく、機械的、熱的、又は化学的な製造プロセスを用いてハウジング２０に固定されてもよい。皮膚接触バー４０は、半剛性のポリマー材料から射出成形することができる。堅い又は剛性の材料は、剃毛中にハウジング２０が一貫した幾何学的形状を維持するのを可能にし、かつ概して剛性の突出部４２が毛を立ち上げて向きを定める能力を向上するのを可能にすることができる。皮膚接触バー４０は、概して剛性の突出部４２が標準的な剃毛条件下で曲がる又は屈曲する（これは剃毛幾何学に不利な影響を与える可能性がある）ことがないように、十分に剛性であってもよい。特定の実施形態では、皮膚接触バー４０は、ハウジング２０と同じ材料、例えば、Ｎｏｒｙｌ（商標）（Ｇｅｎｅｒａｌ  Ｅｌｅｃｔｒｉｃ  Ｐｌａｓｔｉｃｓ、現在のＳＡＢＩＣ  Ｉｎｎｏｖａｔｉｖｅ  Ｐｌａｓｔｉｃｓが開発したポリフェニレンオキサイド（ＰＰＯ）とポリスチレンとのブレンド）から成形されてもよい。皮膚接触バー４０はまた、約５０、６０、又は７０から約９０、１１０又は１２０のＳｈｏｒｅ  Ａ硬度を有する他の半剛性ポリマーから成形することもできる。代替実施形態では、セグメント化された動的屈曲カートリッジを提供して、１つ以上の皮膚接触バー４０のそれぞれが１つ以上の概して剛性の突出部４２を有するようにしてもよい。
【００１４】
細長い弾性皮膚接触要素６０は、皮膚接触バー４０に直接隣接してハウジング２０の近位端部２４に配置され得る。細長い弾性皮膚接触要素６０は、ハウジング２０の第２の側方端部２８から第２の側方端部３０まで延在することができる。皮膚接触バー４０と細長い弾性皮膚接触要素６０とは、接触してもよく、離間してもよい。細長い弾性皮膚接触要素６０の第１の近位端部７２は、細長い弾性皮膚接触要素６０を貫通して延在する一式のポート６４を画定することができる。下記に詳述するように、ポート６４は、余分な剃毛剤をカートリッジ１４から取り除くのを助けることができる。
【００１５】
細長い弾性皮膚接触要素６０は、複数の皮膚接触部材の別個の配列を備えることができ、これは、１つ以上の側方配列の皮膚接触部材８０及び９０、細長い配列の皮膚接触部材１００、整列配列の皮膚接触部材１１０を含むことができる。皮膚接触部材８０、９０、１００、及び１１０の配列は、異なるサイズ、形、及び幾何学的形状を有することができる。具体的には、皮膚接触部材８０、９０、１００、及び１１０の配列は、離間した又は相互接続されている骨子又はフィンのセグメントの形状であり得る。皮膚接触部材８０、９０、１００、及び１１０の配列は、異なるパターンを有してもよく、あるいは、刃に対して、例えばジグザグ、山形、杉綾、又はチェス盤模様など、異なる角度で向きが定められてもよい。皮膚接触部材８０、９０、１００、及び１１０の配列はまた、刃に対して概ね平行に向けられた列に配列された離間したフィンセグメントの形、又は刃に対して平行及び垂直の両方で配列された離間したフィンセグメントの形をとることができる。
【００１６】
特定の実施形態では、細長い弾性皮膚接触要素６０をハウジング２０と挿入射出成形又は共射出成形することができるが、接着剤、超音波溶接、又は機械的締結具のような他の既知の組立方法もまた用いることができる。細長い弾性皮膚接触要素６０及び皮膚接触部材８０、９０、１００、及び１１０の配列は、皮膚接触バー４０より柔らかい材料で成形され得る。例えば、細長い弾性皮膚接触要素６０及び皮膚接触部材８０、９０、１００、及び１１０の配列は、約２０、３０、又は４０〜約５０、６０、又は７０のＳｈｏｒｅ  Ａ硬度を有することができる。細長い弾性皮膚接触要素６０及び皮膚接触部材８０、９０、１００、及び１１０の配列は、熱可塑性エラストマー（ＴＰＥ）又はゴムで作製され得、例としては、シリコン、天然ゴム、ブチルゴム、ニトリルゴム、スチレンブタジエンゴム、スチレンブタジエンスチレン（ＳＢＳ）ＴＰＥ、スチレンエチレンブタジエンスチレン（ＳＥＢＳ）ＴＰＥ（例えば、Ｋｒａｔｏｎ）、ポリエステルＴＰＥ（例えば、Ｈｙｔｒｅｌ）、ポリアミドＴＰＥ（Ｐｅｂａｘ）、ポリウレタンＴＰＥ、ポリオレフィン系ＴＰＥ、及びこれらのＴＰＥの任意の配合物（例えば、ポリエステル／ＳＥＢＳ配合物）が挙げられるが、これらに限定されない。特定の実施形態では、細長い弾性皮膚接触要素６０及び皮膚接触部材８０、９０、１００、及び１１０の配列は、Ｋｒａｉｂｕｒｇ  ＨＴＣ  １０２８／９６、ＨＴＣ  ８８０２／３７、ＨＴＣ  ８８０２／３４、又はＨＴＣ  ８８０２／１１（ＫＲＡＩＢＵＲＧ  ＴＰＥ  ＧｍｂＨ  ＆  Ｃｏ．ＫＧ（ドイツ、Ｗａｌｄｋｒａｉｂｕｒｇ所在））を含むことができる。より軟質の材料は、皮膚伸張を向上させることができ、並びに剃毛中にユーザーの皮膚に対してより快適な触感を提供することができる。より軟質の材料は、ハウジング２０及び／又は皮膚接触バー４０のより硬い材料が、剃毛中にユーザーの皮膚に与える不快な感覚を紛らわすのに役立つ場合もある。
【００１７】
図３を参照すると、細長い弾性皮膚接触要素６０の上面図が示されている。細長い弾性皮膚接触要素６０は、遠位端部７０と、近位端部７２と、第１の側方端部７４と、第２の側方端部７６とを含んでもよい。細長い弾性皮膚接触要素６０は、皮膚接触部材の１つ以上の側方配列８０及び９０を含むことができる。皮膚接触部材の側方配列８０の１つは第１の側方端部７４に配置され、もう１つの皮膚接触部材の側方配列９０は細長い弾性皮膚接触要素６０の第２の側方端部７６に配置されてもよい。皮膚接触部材の側方配列８０及び９０は、刃に対して概して平行に延在する１つ以上の可撓性の皮膚係合突出部８２及び９２のような同様のパターンを有することができる。皮膚接触部材８０の１つの側方の配列は、第１の側方端部７４から第２の側方端部７６まで延在する長さＬ１を有することができる。特定の実施形態では、その長さＬ１は約０．５ｍｍ、１ｍｍ又は３ｍｍ〜約５ｍｍ、７ｍｍ又は９ｍｍであることができる。皮膚接触部材９０のもう一方の側方の配列は、第２の側方端部７６から第１の側方端部７４まで延在する長さＬ２を有することができる。特定の実施形態では、Ｌ１及びＬ２は概ね同じであってもよく、例えば、Ｌ２は約０．５ｍｍ、１ｍｍ又は３ｍｍ〜約５ｍｍ、７ｍｍ又は９ｍｍであってもよい。長さＬ１及びＬ２は、第１及び第２の側方端部７４及び７６の間の区域と比べてより多くの皮膚伸張を第１及び第２の側方端部７４及び７６においてもたらすことができる。細長い弾性皮膚接触要素６０が皮膚表面に付加する力はその全長に沿って均一でなくてもよい。細長い弾性皮膚接触要素６０の全長に沿ってより均一な皮膚伸張プロファイルを提供するために、細長い弾性皮膚接触要素６０の側方端部７４及び７６に追加の皮膚伸張が必要である場合がある。より均一な皮膚伸張プロファイルは、カートリッジ１４の特定の区域に沿ってのみ緊密かつ快適な剃毛ではなく、むしろカートリッジ１４の全長に沿ってより一貫して緊密かつ快適な剃毛をもたらすことができる。
【００１８】
皮膚接触部材１００の細長い配列は細長い弾性皮膚接触要素６０の近位端部７２に配置され、第１の側方端部７４から第２の側方端部７６まで延在することができる。皮膚接触部材１００の細長い配列は、皮膚接触部材８０及び９０の１つ以上の側方の配列と連続していてもよく、同様のパターンを有してもよい。あるいは、皮膚接触部材１００の細長い配列は、皮膚接触部材８０及び９０の側方の配列と不連続であってもよく、類似していないパターンを有してもよい。皮膚接触部材１００の細長い配列は、より均一な皮膚伸張をもたらすために、皮膚接触部材８０及び９０の側方の配列と同じ平面上に概ね位置づけられてもよい。例えば、皮膚接触部材１００の細長い配列の平面が皮膚接触部材８０及び９０の側方の配列の平面より下に配置された場合、皮膚接触部材１００の細長い配列は剃毛中の触感を提供しないことが可能である、又は、皮膚を伸張するために十分な力を適用しないことが可能である。第１の外側端部７４と第２の側方端部７６との間の皮膚伸張が不十分であると、切り傷が増えたり剃毛の滑らかさが減ったりする可能性がある。皮膚接触部材１００の細長い配列は、第１の側方端部７４から第２の側方端部７６まで延在する長さＬ３を有することができる。特定の実施形態では、Ｌ３はＬ１又はＬ２より大きくてもよく、例えば、Ｌ３は約２０ｍｍ、２５ｍｍ又は３０ｍｍ〜約３５ｍｍ、４５ｍｍ又は５５ｍｍであってもよい。
【００１９】
皮膚接触部材１１０の整列配列を、皮膚接触部材１００の細長い配列に直接隣接して細長い弾性皮膚接触要素６０の遠位部７０及び皮膚接触部材８０と皮膚接触部材９０の側方の配列の間に配置することができる。皮膚接触部材１１０の整列配列は、第１の側方端部７４と第２の側方端部７６との間で延在する長さＬ４を有することができる。特定の実施形態では、Ｌ４はＬ１又はＬ２より大きくてもよく、例えば、Ｌ４は約１０ｍｍ、１５ｍｍ又は２０ｍｍ〜約３０ｍｍ、４０ｍｍ又は５０ｍｍであってもよい。皮膚接触部材１１０の整列配列は、皮膚接触部材８０及び９０の側方の配列又は皮膚接触部材１００の細長い配列と異なるパターンを有してもよい。例えば、皮膚接触部材１１０の整列配列は、剃毛中、皮膚接触部材１００の細長い配列から１つ以上の刃への毛の通過及び毛の配向を促進する、刃に対して概ね横向きであり、かつ複数の開いたチャネル１１４を画定する複数の可撓性の皮膚係合突出部１１２を含むことができる。可撓性の皮膚係合突出部１１２は、細長い弾性皮膚接触要素６０の実質的な長さに概ね沿って配置され得、例えば、皮膚接触部材１１０の整列配列は、細長い弾性皮膚接触要素６０の全長の約６５％、７５％又は８５％〜約９０％、９５％又は１００％に沿って配置され得る。図で、皮膚接触部材１１０の整列配列は細長い弾性皮膚接触要素６０の実質的な長さに沿って配置されているが、皮膚伸張及び毛の向きの所望のレベル及び位置によっては、他の構成もまた可能である。
【００２０】
細長い弾性皮膚接触要素６０の長さに沿った可撓性の皮膚係合突出部１１２の数量は変化してもよく、例えば、皮膚接触部材１１０の整列配列は、合計約３０、４０又は５０〜約６０、８０又は１００の可撓性の皮膚係合突出部１１２を有することができるが、皮膚接触部材１１０の整列配列のピッチ及び長さＬ４によっては、より多くてもよく、より少なくてもよい。前述したように、可撓性の皮膚係合突出部１１２は、概ね剛性の突出部４２と同じピッチを有することができる。特定の実施形態では、可撓性の皮膚係合突出部１１２は、約０．２０ｍｍ、０．４０ｍｍ又は０．６０ｍｍ〜約０．８ｍｍ、１．０ｍｍ又は１．２ｍｍのピッチを有することができる。可撓性の皮膚係合突出部１１２の数量がより多いと、皮膚の表面との合計接触区域が増し、これは皮膚伸張量を増すことができるとともに、ユーザーにとって心地よい触感を増すことができる。可撓性の皮膚係合突出部１１２は、刃の正面の毛の適正な向きもまた促進することもできる。特定の実施形態では、可撓性の皮膚係合突出部１１２は可撓性の皮膚係合突出部８２及び９２ほどは皮膚を伸張しなくてもよい。皮膚接触部材の整列配列の主な機能は毛を方向づけること及び毛の曲げを防ぐことであってもよいので、皮膚接触部材１１０の整列配列は接触部材８０及び９０の側方配列ほどの最適の皮膚伸張を提供しない。皮膚接触部材１００の細長い配列は、細長い弾性皮膚接触要素６０の中心に向かう追加の必要な皮膚伸張を提供し、その補正によって、細長い弾性皮膚接触要素６０の長さに沿った皮膚のより均一な伸張を準備することができる。
【００２１】
図４Ａを参照すると、カートリッジ１４の拡大部分上面図が示されている。典型的なガードは、剃毛の方向に対して横向き（皮膚伸張のために最適でない）又は剃毛方向に対して平行（毛の整列のために最適でなく、剃毛剤を多く取り除きすぎる場合がある）のいずれかである単一のパターンのみを有する。細長い弾性皮膚接触要素６０が有するいくつかの皮膚接触部材８０、９０、１００及び１１０の別個の配列を皮膚接触バー４０と組み合わせて使用して、皮膚伸張と適正な毛整列の最適なバランスを提供することができる。例えば、最適な毛の整列をもたらすために、皮膚接触部材１１０の整列配列は、皮膚接触部材１００の細長い配列又は皮膚接触部材８０及び９０の側方配列とは異なる長さ、幅、向き又はパターンを有することができる。特定の実施形態では、異なるレベルの局所的な皮膚伸張を準備しながらも、刃の直前で皮膚に押し当てられたままになる毛の数量を減らすために、皮膚接触部材１００の細長い配列は皮膚接触部材８０及び９０の側方配列と異なる長さ、幅、向き又はパターンを有することができる。
【００２２】
カートリッジ１４が剃毛中に皮膚の表面をわたって滑走するにつれて、皮膚接触部材１００の細長い配列は皮膚を予め伸張し、余分な剃毛剤をポート６４の方に案内することができる。ポート６４は、剃毛剤を刃の方へ前に押し進めるのでなく（これは、刃及び細長い弾性皮膚接触要素６０の障害となり得る）、剃毛されている区域から余分な剃毛剤を取り除くことができる。剃毛剤、毛、汚れ及び破片が皮膚接触バー４０及び細長い弾性皮膚接触要素６０の周囲並びに刃の周囲に捕捉される場合がある。より長い毛はより捕捉されやすく、したがって洗い流すことがより難しいので、剃毛の頻度がより低いユーザーでは余分な剃毛剤、毛、汚れ及び破片はより明らかである場合がある。より長い毛はまた、更なる毛、剃毛剤、汚れ、及び破片を捕捉する傾向が強い。余分な切断毛及び剃毛剤は、細長い弾性皮膚接触要素６０が皮膚を伸張する能力を減少することもある。余分な切断毛及び剃毛剤はまた、皮膚接触バー４０及び細長い弾性皮膚接触要素６０が毛を適正な向きにして緊密な剃毛をする能力を阻害することもある。カートリッジ１４が適正に洗い流されないと、刃は毛を適正に切断せず、結果的に擦り傷、切り傷、切断されない毛の数量の増加、及び概ね非効率的な剃毛を結果的にもたらすことが可能であり、ユーザーの皮膚上のカートリッジ１４の通過が必然的に増えることになる。ポート６４を有する細長い弾性皮膚接触要素６０を準備することによって、刃及び細長い弾性皮膚接触要素６０の機能を阻害し得る余分な破片、切断毛、及び剃毛剤を減らし、カートリッジ１４の性能を強化することができる。
【００２３】
皮膚接触部材１００の細長い配列は、ポート６４から皮膚接触部材１１０の整列配列まで延在する幅「ｗ１」を有することができる。特定の実施形態では、皮膚接触部材１００の細長い配列のｗ１は、約０．２５ｍｍ、０．５ｍｍ又は０．７５ｍｍ〜約１ｍｍ、２ｍｍ又は３ｍｍであり得る。細長い配列の皮膚接触部材１００は細長い弾性皮膚接触要素６０の近位端部７２に位置づけられるので、余分な剃毛剤のみが取り除かれ、剃毛剤の薄い層のみが皮膚及び毛の表面に残される。毛が皮膚接触部材１１０の整列配列を通るにつれて、十分な量の剃毛剤が毛に残されて、滑らかで快適な剃毛をもたらす。標準のガードは毛を捉えて皮膚の表面に対して押し倒すことができるので、それらの毛は主要な又は第１の刃（図示せず）に到達するにつれて平らに寝る。毛がガードの内部又は下に捕捉された場合、毛は刃に対して適正に提示されず、結果的に刃が毛を逃す又は薄く剥ぐことになる可能性がある。直立の毛は、平らに寝ている又は概ね刃に対して平行な毛と比べ、刃によってより緊密に切断される可能性がより高い。特定の実施形態では、毛が平らになるのを軽減するために、ｗ１は最低限であってもよい。
【００２４】
可撓性の皮膚係合突出部１１２及び細長い配列の皮膚接触部材１００は、離間して、第１の細長い間隙１０６を画定することができる。第１の細長い間隙１０６は、概ね皮膚接触部材１１０の整列配列の長さにかけて延在することができるが、所望により、それより短くてもよい。細長い配列の皮膚接触部材１００は、毛を捕捉して押し、皮膚の表面に対して平らにする場合がある。第１の細長い間隙１０６は、毛が皮膚接触部材１１０の整列配列に向かって通るにつれて、平らになった毛を全て解放してより直立の向きに戻すことを促進することができる。第１の細長い間隙１０６は、約０ｍｍ、０．１ｍｍ又は０．２ｍｍ〜約０．３ｍｍ、０．４ｍｍ又は０．５ｍｍの幅を有することができる。特定の実施形態では、第１の細長い間隙１０６は皮膚接触部材１１０の整列配列の長さに沿って連続して延在してもよく、又は、第１の細長い間隙１０６は、皮膚接触部材１１０の整列配列の長さに沿って不連続な方法で延在するセグメントを含んでもよい。
【００２５】
可撓性の皮膚係合突出部１１２は、先端部分１１６及び追従部分１１８を有する概ね矩形又は楕円の外形を有してもよい。先端部分１１６は、刃の方へ毛を通すため及び可撓性の皮膚係合突出部１１２の下に捉えられ得る毛の数量を最小限にするためにテーパー形状でも丸くても、あるいは面取りされてもよい。チャネル１１４及び可撓性の皮膚係合突出部１１２の向きは、皮膚及び毛の表面に十分な量の剃毛剤を維持することができる。毛の水和性を高めるため及び毛が刃で切断されるときの摩擦を減らすために、十分な量の剃毛剤が必要である。チャネル１１４は、剃毛剤を取り除きすぎる可能性のあるスクィージーとして機能するのでなく、剃毛剤の流通を可能にするように開かれている。可撓性の皮膚係合突出部１１２も、カートリッジ１４が剃毛の方向に対して横断方向に滑走するのを防ぐために、カートリッジ１４のトラッキングも改善することができる。カートリッジ１４の側方への滑走によって刃が皮膚をスライスし、激しい不快感をもたらす可能性がある。先端部１１６及び追跡端部１１８は概ね平らな上面を有して、皮膚の表面との合計接触面積を増すことができ、これはカートリッジのトラッキングを改善し、皮膚の伸張量を増し、ユーザーの触感を改善することができる。
【００２６】
隣接する可撓性の皮膚係合突出部１１２を距離「ｄ１」だけ離間して、概ね障害のない毛の通過を促進し、剃毛中に毛が引かれること及び捕捉されることを最低限にすることができる。特定の実施形態では、ｄ１は約０．１０ｍｍ、０．２０ｍｍ又は０．３０ｍｍ〜約０．３５ｍｍ、０．４０ｍｍ又は０．４９ｍｍであることができる。用途によっては、剃毛される毛の厚さ及び量は、より大きい又はより小さいｄ１が必要である場合がある。特定の実施形態では、ｄ１は近位端部７２に向かってより幅広くなる寸法から、遠位端部７０に向かってより幅狭くなる寸法にテーパーされてもよい。可撓性の皮膚係合突出部１１２はｄ１と概ね同等の「ｗ３」を有することができ、例えばｗ３は約０．１０ｍｍ、０．２０ｍｍ又は０．３０ｍｍ〜約０．３５ｍｍ、０．４０ｍｍ又は０．４９ｍｍであってもよいが、皮膚表面との所望の合計接触面積に依存して、ｗ３はより大きくてもより小さくてもよい。皮膚表面との接触面積がより大きいと不快感が軽減し、皮膚の伸張が増す可能性がある。
【００２７】
毛が皮膚接触部材１１０の整列配列の可撓性の皮膚係合突出部１１２の間から皮膚接触バー４０へと通過するにつれ、皮膚接触部材８０及び９０（図示せず）の側方配列によって追加の皮膚伸張が提供され得る。皮膚接触部材８０及び９０（図示せず）の側方配列は、細長い弾性皮膚接触要素６０の側方端部７４及び７６（図示せず）での追加の局所的皮膚伸張を提供するために皮膚接触部材１００の細長い配列の幅ｗ１より大きい「ｗ２」を有することができ、これは、細長い弾性皮膚接触要素６０のより均一な皮膚伸張プロファイルをもたらすことができる。例えば、皮膚接触部材８０及び９０（図示せず）の側方配列のｗ２は、約０．５ｍｍ、１．５ｍｍ又は２ｍｍ〜約２．５ｍｍ、３ｍｍ又は３．５ｍｍであってもよい。
【００２８】
寸法ｗ１とｗ２の組み合わせ及び皮膚接触部材８０、９０（図示せず）の側方配列の位置及び皮膚接触部材１００の細長い配列の位置は、皮膚の表面に対する毛の押圧を最小限にすると同時に、皮膚の伸張を最大限にすることができる。皮膚接触部材８０及び９０の側方配列は刃が毛を切断する場所の横方向に概ね配置されるので、ｗ２を増すことによって毛の向きに悪い影響を及ぼさずに皮膚伸張を最大限にすることができる。毛の向きは、皮膚の表面に対して毛を押圧し得るｗ１を縮小することによって最大限にすることができる。皮膚接触部材１１０の整列配列は、皮膚に対して押圧されている毛の立ち上がり及び配向を可能にすることによって皮膚接触部材１００の細長い配列の押圧効果を無効にすることができる。皮膚接触部材１１０の整列配列はｗ１の増加を可能にし、剃毛中に皮膚の表面に対して押圧されたままになる毛の数量を最少限にすることによって、更なる伸張をもたらすことができる。
【００２９】
皮膚接触バー４０及び皮膚接触部材１１０の整列配列は第２の細長い間隙１０８を画定することができる。第２の細長い間隙１０８は、皮膚接触バー４０の長さにかけて概ね延在することができるが、所望により、それより短くてもよい。チャネル１１４に沿って通過せずに可撓性の皮膚係合突出部１１２の下に捕捉される可能性がある毛は全て、皮膚の表面に対して平らに押し倒される可能性がある。皮膚の表面に対して押圧され得る全ての毛を解放して、皮膚接触バー４０を通るにつれてその毛をより直立の向きに戻すことを促進するために、第２の細長い間隙１０８を準備することができる。第２の細長い間隙１０８は、約０ｍｍ、０．１ｍｍ又は０．２ｍｍ〜約０．３ｍｍ、０．４ｍｍ又は０．５ｍｍの幅を有することができる。特定の実施形態では、第２の細長い間隙１０８は皮膚接触バー４０の長さに沿って連続的に延在してもよく、又は、第２の細長い間隙１０８は皮膚接触バー４０の長さに沿って不連続な方法で延在するセグメントを含んでもよい。
【００３０】
可撓性の皮膚係合突出部１１２は概して剛性の突出部４２と整列することができるので、最低限の引張り又は引きを伴う毛のための概ね障害のない通路が提供される。皮膚接触バー４０の概して剛性の突出部４２は皮膚の取扱い及び第１の刃への毛の案内を促進することができる。概して剛性の突出部４２はまた、皮膚の表面からの毛の立ち上げも促進することができる。隣接する概ね剛性の突出部４２は離間して、不快感をもたらし得る引張り又は引きがごく少ない概ね障害のない毛のための通路を可能にするような寸法の開いたチャネル４４を画定する。開いたチャネル４４はまた、隣接する概して剛性の突出部４２の間の間隔が大きすぎる場合に生じ得る概して剛性の突出部４２の端での皮膚の隆起及び圧力点を低減する寸法でもある。例えば、概して剛性の突出部４２の間隔が開きすぎていると、開いたチャネル４４内に皮膚が出っ張る可能性があり、１つ以上の刃による望ましくない皮膚のスライシング又は切り傷が生じ得る。特定の実施形態では、概して剛性の突出部４２は約０．１０ｍｍ、０．２０ｍｍ又は０．３０ｍｍ〜約０．３５ｍｍ、０．４０ｍｍ又は０．４９ｍｍの「ｄ２」だけ離間され得る（すなわち開いたチャネル４４である）が、ｄ２は、開いたチャネル４４を通過する毛の厚さ及び量によっては、より大きくてもより小さくてもよい。不適正な間隔では洗い流しやすさが劣り、圧力点、皮膚の隆起及び／又は毛の引きによって不快感が引き起こされる可能性がある。
【００３１】
開いたチャネル４４の外形が剃毛中に一貫して維持されるように、概して剛性の突出部４２は十分に剛性があってよく、したがって、最適な刃と皮膚の外形は維持されて、より緊密かつより快適な剃毛がもたらされる。皮膚接触バー４０の上面は概ね平らであり、皮膚の流れの取扱いを改善し、快適さを増すことができる。特定の実施形態では、概ね剛性の突出部４２はｄ２と概して同等の幅「ｗ４」を有することができる。例えば、ｗ４は約０．１０ｍｍ、０．２０ｍｍ又は０．３０ｍｍ〜約０．３５ｍｍ、０．４０ｍｍ又は０．４９ｍｍであってもよいが、皮膚表面との所望の合計接触面積によっては、ｗ４はより大きくてもより小さくてもよい。概して剛性の突出部４２によって画定された開いたチャネル４４は、可撓性の皮膚係合突出部１１２によって画定された開いたチャネル１１４と概ね整列され得るので、毛は細長い弾性皮膚接触要素６０から第１の刃まで概ね障害なく通過することができる。特定の実施形態では、ｄ１及びｗ３は（それぞれ対応する）ｄ２及びｗ４と概ね同じであってもよく、毛が刃へと障害なく通過することを可能にする。概して剛性の突出部４２、開いたチャネル４４、可撓性の皮膚係合突出部１１２、及び開いたチャネル１１４の寸法は、皮膚の取扱い、快適さ、毛の向き、及び洗い流しやすさの最適なバランスを可能にすることができる。
【００３２】
概して剛性の突出部４２は、約０．５ｍｍ、１ｍｍ又は１．７５ｍｍ〜約２ｍｍ、３ｍｍ又は４ｍｍのＬ５を有することができる。概して剛性の突出部４２は可撓性の皮膚係合突出部１１２より正しく毛を整列することができるが、概して剛性の突出部４２は剃毛中に一部のユーザーにとって不快であり得る。特定の実施形態では、Ｌ５を最低限にして、皮膚に対する概して剛性の突出部４２の引きずり及び不快感を減少すると同時になお十分な毛の配向を可能にすることができる。可撓性の皮膚係合突出部１１２は、より心地よい触感を皮膚に対して有することができ、概して剛性の突出部４２の引きずり及び不快感を感じにくくすることができる。可撓性の皮膚係合突出部１１２は、よりよい皮膚の伸張、より優れた触感、及びよりよい毛の向きをもたらすために、Ｌ５より大きい「Ｌ６」を有することができる。特定の実施形態では、Ｌ６は約１．０ｍｍ、１．５ｍｍ又は２．０ｍｍ〜２．５ｍｍ、３．０ｍｍ又は４．０ｍｍであることができる。
【００３３】
図４Ｂを参照すると、可撓性の皮膚係合突出部８２（図示せず）、９２及び１０２、並びに１１２は、細長い弾性皮膚接触要素６０のベース１２０から延出することができる。ベース１２０は、概して湾曲した平面Ｐ１に沿って傾斜することができる。可撓性の皮膚係合突出部１０２の上面は、概して傾斜した湾曲平面Ｐ２に沿って方向が定められてもよい。可撓性の皮膚係合突出部１０２は、Ｐ１からＰ２にかけて測定されたときに約０．２５ｍｍ、０．５０ｍｍ又は０．７５ｍｍ〜約１．０ｍｍ、１．２５ｍｍ又は２ｍｍの高さｈ１を有することができる。可撓性の皮膚係合突出部８２および９２の上面は、概して傾斜した湾曲平面Ｐ３に沿って方向が定められてもよい。可撓性の皮膚係合突出部８２及び９２は、Ｐ１からＰ３にかけて測定されたときに約０．１ｍｍ、０．２５ｍｍ又は０．５ｍｍ〜約０．７５ｍｍ、１．０ｍｍ又は１．５ｍｍの高さｈ２を有することができる。図４Ｂに示すように、可撓性の皮膚係合突出部８２及び９２は、可撓性の皮膚係合突出部１１２より上に延在して、カートリッジ１４の側方端部にて追加の皮膚伸張を提供することができる。特定の実施形態では、より高い可撓性及び皮膚伸張特性を可撓性の皮膚係合突出部１０２に設けるために、ｈ１はｈ２より大きくてもよい。平面Ｐ１、Ｐ２及びＰ３の可能な傾斜のために、個々の可撓性の皮膚係合突出部８２（図示せず）及び９２並びに１０２の高さ（ｈ１、ｈ２及びｈ３）は細長い弾性皮膚接触要素６０に沿って変化してもよいことが理解される。
【００３４】
概して剛性の突出部４２及び可撓性の皮膚係合突出部１１２は概して同じ高さを有すること（すなわち同じ平面上に位置づけられること）が可能であるので、カートリッジ１４が皮膚の表面に置かれるにつれて、剛性の突出部４２及び可撓性の皮膚係合突出部１１２は両方とも皮膚と接触する。特定の実施形態では、皮膚の表面に対する可撓性の皮膚係合突出部１１２の圧縮を可能にし、ユーザーによりよい触感を与え、概して剛性の突出部４２の感触を伝えないために、可撓性の皮膚係合突出部１１２は概して剛性の突出部４２よりわずかに上に位置づけられてもよい。可撓性の皮膚係合突出部１１２の上面は、概して傾斜した湾曲平面に沿って向きが定められてもよい。特定の実施形態では、可撓性の皮膚係合突出部１１２は（可撓性の皮膚係合突出部１１２のベース１２０から上面まで測定されたときに）約０．２ｍｍ、０．３ｍｍ又は０．４ｍｍ〜約０．７ｍｍ、０．９ｍｍ又は１．２ｍｍの高さｈ３を有することができる。代替実施形態では、可撓性の皮膚係合突出部１１２の上面及び平面Ｐ１及びＰ２は概して真っ直ぐな平面に沿って傾斜してもよく、真っ直ぐでなくてもよい。
【００３５】
図５Ａ〜５Ｆは、細長い弾性皮膚接触要素６０の様々な図を示す。図５Ａは、細長い弾性皮膚接触要素６０の斜視図である。図５Ｂは、細長い弾性皮膚接触要素６０の底面図である。図５Ｃは、細長い弾性皮膚接触要素の右側面図である。図５Ｄは、図５Ｃの鏡像である細長い弾性皮膚接触要素６０の左側面図である。図５Ｅは、細長い弾性皮膚接触要素の正面図である。図５Ｆは、細長い弾性皮膚接触要素の背面図である。
【００３６】
より緊密かつより快適な剃毛のための、毛を切断する方法もまた提供される。この方法は、少なくとも１つの刃と、この少なくとも１つの刃の正面の細長い弾性皮膚接触要素とを、剃毛かみそりカートリッジに提供する工程を有する。刃の正面の皮膚の第１の区域は、細長い弾性皮膚接触要素によって伸張され、皮膚の出っ張りを低減することができる。第１の区域の後の複数の毛は、細長い弾性皮膚接触要素によって整列され、それによって、それらの毛は少なくとも１つの刃に対して概ね垂直に整列され得る。毛の整列は、毛が１つ以上の刃によって一貫して均等に切断されるよう促進することができる。整列される毛の側方の皮膚の別の区域もまた、細長い弾性皮膚接触要素によって伸張され得る。整列される毛の側方の皮膚の区域は、皮膚の第１の区域と概ね並んでいるか、又はその背後にあり得る。概ね整列された毛は１つ以上の刃によって切断され得る。上述で説明された工程は任意の順序で実行することができ、特定の工程を繰り返してもよく、全く含まなくてもよい。
【００３７】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示された寸法は「約４０ｍｍ」を意味することを意図する。あらゆる曖昧さを避けるために、本開示の目的上、用語「部又は部分」は５０％未満を意味するものと解釈されるべきである。例えば、用語「遠位端部」は、参照された要素の末端から約０％、５％、１０％又は１５％〜約１５％、２０％、２５％、３０％、４０％又は４５％として解釈されるべきである。同様に、用語「近位端部」は、参照された要素の前記末端の反対の端から約０％、５％、１０％又は１５％〜約１５％、２０％、２５％、３０％、４０％又は４５％として解釈されるべきである。
【００３８】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参考として組み込まれた文献における同一の用語のいずれかの意味又は定義と相反する限りにおいて、本書においてその用語に与えられた定義又は意味が適用されるものとする。
【００３９】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１】
0005475110.tif 000002
【図２】
0005475110.tif 000003
【図３】
0005475110.tif 000004
【図４Ａ】
0005475110.tif 000005
【図４Ｂ】
0005475110.tif 000006
【図５Ａ】
0005475110.tif 000007
【図５Ｂ】
0005475110.tif 000008
【図５Ｃ】
0005475110.tif 000009
【図５Ｄ】
0005475110.tif 000010
【図５Ｅ】
0005475110.tif 000011
【図５Ｆ】
0005475110.tif 000012